(57)【要約】【課題】  表示された画像において、データパターン依存の欠陥を除去する動的駆動スキームを提供する。【解決手段】  本発明は、横列電極及び縦列電極を有する受動マトリクス液晶ディスプレイの画素を駆動する駆動スキームであって、選択ステップを含み、その選択ステップは、ディスプレイに、横列波形及び縦列波形を印加して、選択された横列に選択された画素電圧パルスを生成し、選択されない横列に非選択画素電圧パルスを生成し、かつ、その前後の選択されない画素の電圧に依存する有効選択時間を有する。ここで、有効選択時間が、その前後の選択されない画素の電圧に無関係であり、それによって、表示された画像におけるデータパターンに依存した欠陥が排除されるように、各々の連続する選択された画素電圧パルスの間にフレーム電圧パルスが挿入される。【選択図】図１
2004246354.tif 000002
【特許請求の範囲】
【請求項１】
横列電極及び縦列電極を有する受動マトリクス液晶ディスプレイの画素を駆動する駆動スキームであって、
選択ステップと、挿入ステップとを含み、
前記選択ステップは、前記ディスプレイに、横列波形及び縦列波形を印加して、選択された横列に選択された画素電圧パルスを生成し、選択されない横列に非選択画素電圧パルスを生成し、かつ、その前後の選択されない画素の電圧に依存する有効選択時間を有し、
前記挿入ステップは、前記有効選択時間が、その前後の選択されない画素の電圧に無関係であり、それによって、表示された画像におけるデータパターンに依存した欠陥が排除されるように、各々の連続する選択された画素電圧パルスの間にフレーム電圧パルスを挿入するステップである駆動スキーム。
【発明の詳細な説明】
【技術分野】
【０００１】
本発明は、コレステリック（キラルネマチック）液晶ディスプレイ、及びその電気駆動スキームに関し、より詳細には、データ依存の欠陥を排除する駆動スキームに関する。
【背景技術】
【０００２】
１９９５年８月１日にＤｏａｎｅ等に与えられた米国特許第５４３７８１１号は、従来のパターン化されたガラス基板に含まれる高分子ドメイン中のキラルネマチック液晶（コレステリック液晶）を有する光変調セルを開示する。キラルネマチック液晶は、特定の可視波長光を反射するプラナー状態と、光散乱コニック状態の間で駆動される特性を有する。キラルネマチック材料は、２つの安定状態を有し、電界がない場合には、その安定状態のうち１つを維持することができる。
【０００３】
１９９３年の１０月１日にＤｏａｎｅ等に与えられた米国特許第５２５１０４８号、及び１９９７年７月１日にＣａｔｃｈｐｏｌｅ等に与えられた米国特許第５６４４３３０号は、キラルネマチック材料を、その安定状態の間で切り替える種々の駆動方法を開示する。しかし、これらのディスプレイの更新率は、ほとんどの実際の適用には遅すぎる。典型的に、更新率は、１ラインあたり、約１０−４０ミリ秒であった。１０００ラインの表示を更新するためには、１０−４０秒かかる。
【０００４】
１９９８年５月５日にＨｕａｎｇ等に与えられた米国特許第５７４８２７７号、及び２０００年１１月２８日にＹａｎｇ等に与えられた米国特許第６１５４１９０号は、動的駆動スキームと呼ばれる、キラルネマチックディスプレイに対する高速駆動スキームを開示する。動的駆動スキームは、一般的に、準備ステップ、プレホールドステップ、選択ステップ、ポストホールドステップ、及び展開ステップを含む。これらの高速駆動スキームは、非常に複雑な電子駆動回路を要する。例えば、全ての縦列駆動及び横列駆動は、両極、かつ複数レベルの電圧を出力しなければならない。画像描画中、駆動スキームを用いて使用されるパイプラインアルゴリズムのために、フレームに渡った望まれないブラックバーシフトがある。
【０００５】
２００１年７月３１日にＨｕａｎｇに与えられた米国特許第６２６８８４０号は、上述の動的駆動スキームを実行する単極の波形駆動方法を開示する。しかし、準備ステップ、選択ステップ、及び展開ステップで必要とされる電圧の振幅は異なり、縦列と横列の両方の駆動が、いまだ望まれないマルチレベルの単極電圧を生成するために必要とされる。
【発明の開示】
【発明が解決しようとする課題】
【０００６】
Ｋｏｚａｃｈｅｎｋｏ等（ＩＤＲＣ１９９７の会議記録の第１４８−１５１頁に記載された、コレステリックＬＣＤにおける反射率の高速制御のための大きな要因としてのヒステリシス）、Ｓｏｒｏｋｉｎ（１９９８年アジアディスプレイの第７４９−７５２行に記載された、コレステリック反射性ＬＣＤの単純な駆動方法）、及びＲｙｂａｌｏｃｈｋａ等（ＳＩＤ２０００の第８８２−８８５頁に記載されたコレステリックディスプレイの高速アドレスのための動的駆動スキーム、ＳＩＤ２００１の第８８２−８８５頁に記載された双安定のコレステリックＬＣＤのための単純駆動スキーム）は、２レベルの縦列ドライバ及び横列ドライバのみを必要とする、Ｕ電圧又は０電圧を出力する、いわゆるＵ／√２及びＵ／√（３／２）動的駆動スキームを提案した。これらの駆動スキームは、望まれないブラックシフトバーを生成しない代わりに、描画中、全体のフレームを黒にする。しかし、それらの名前が示唆するように、それらは、Ｕ／√２動的駆動スキームに対するＵｈｏｌｄｉｎｇ＝Ｕｅｖｏｌｕｔｉｏｎ＝Ｕ／√２、又は、Ｕ／√（３／２）動的駆動スキームに対するＵｈｏｌｄｉｎｇ＝Ｕｅｖｏｌｕｔｉｏｎ＝Ｕ／√（３／２）等の非常に特有の電気光学特性を有するコレステリック液晶ディスプレイにのみ適用できる。ここで、Ｕｈｏｌｄｉｎｇ、及びＵｅｖｏｌｕｔｉｏｎは、それぞれ、保持ステップ、及び展開ステップの実効電圧（２乗平均平方根）である。この制限のために、多くのコレステリック液晶ディスプレイは、これらのスキームによって駆動できず、又は、コントラスト及び輝度を妥協することによってしか駆動できない。
【０００７】
これらの駆動スキームに関する別の問題は、データパターン依存の欠陥である。すなわち、有効選択時間は、選択された横列の前後の選択されなかった画素の電圧に依存して変化する。従って、画素の反射状態は、望まれない方法で変化する。それ故、表示された画像において、データパターン依存の欠陥を除去する改善された動的駆動スキームの必要がある。
【課題を解決するための手段】
【０００８】
その必要性は、本発明により満足させられる。本発明は、横列電極及び縦列電極を有する受動マトリクス液晶ディスプレイの画素を駆動する駆動スキームであって、選択ステップを含み、その選択ステップは、ディスプレイに、横列波形及び縦列波形を印加して、選択された横列に選択された画素電圧パルスを生成し、選択されない横列に非選択画素電圧パルスを生成し、かつ、その前後の選択されない画素の電圧に依存する有効選択時間を有する。ここで、有効選択時間が、その前後の選択されない画素の電圧に無関係であり、それによって、表示された画像におけるデータパターンに依存した欠陥が排除されるように、各々の連続する選択された画素電圧パルスの間にフレーム電圧パルスが挿入される。
【発明の効果】
【０００９】
本発明の駆動スキームは、隣接する画素の表示状態に関係なく、ディスプレイの各々の画素に対する均一な表示状態を生成するという効果がある。本発明は、さらに、Ｕ／√２、及びＵ／√（３／２）動的駆動スキームを含む種々の動的駆動スキーム、及び当業界に既知の他の種々の高速駆動スキームに適用できる。
【発明を実施するための最良の形態】
【００１０】
図１は、本発明による、駆動可能な従来のディスプレイ１０の構成の部分斜視図である。ディスプレイ１０は、フレキシブル基板１５を有する。フレキシブル基板１５は、２０μｍから２００μｍの厚さを有するポリエステルプラスチックから形成されるＫｏｄａｋＥｓｔａｒＴＭフィルムベース等の、薄い透明高分子材料である。基板１５は、ポリエステルフィルムベースの１２５μｍの厚いシートであってよい。透明なポリカーボネート等の高分子が使用されてもよい。
【００１１】
第１のパターン化された導体２０の形をとった電極は、基板１５に渡って形成される。第１のパターン化された導体２０は、酸化スズ、又はインジウムスズ酸化物（ＩＴＯ）であってよく、ＩＴＯは、好ましい材料である。典型的に、第１のパターン化された導体２０の材料は、１平方当り２５０オーム未満の抵抗値を有する基板１５上の層としてスパッタされる。その層は、その後、任意の既知の方法でパターン化され、第１のパターン化された導体２０を形成する。あるいは、第１のパターン化された導体２０は、銅、アルミニウム、又はニッケル等の不透明な導電性材料であってよい。もし、第１のパターン化された導体２０が、不透明な材料であるなら、その材料は、光を吸収する第１のパターン化導体２０を生成するために酸化されてもよい。第１のパターン化導体２０は、導電層において、従来のフォトリソグラフィ手段、又はレーザエッチング手段によって形成される。
【００１２】
ポリマー分散コレステリック層３０等の光変調材料は、第１のパターン化導体２０にかぶさる。好ましい実施の形態において、ポリマー分散コレステリック層３０は、例えば、参照によって本明細書に組み込まれるＤｏａｎｅ等に対して１９９７年１２月９日に与えられた米国特許第５６９５６８２号に開示された、高分子ホスト材料、分散コレステリック液晶材料を含む。種々の振幅、及び期間の電解の用途は、キラルネマチック液晶を、反射性状態、透過性状態、又は中間状態に駆動できる。これらのコレステリック材料は、電解が除去された後、所定の状態識別を維持するという効果を有する。コレステリック液晶材料は、ニューヨーク州、ＨａｗｔｈｏｒｎｅのＥ．Ｍ．社から入手可能な、ＭｅｒｃｋＢＬ１１２、ＢＬ１１８、又はＢＬ１２６であってよい。
【００１３】
高分子ホスト材料は、Ｅ．Ｍ社によって提供される、脱イオン化フォトグラフィックゼラチンに分散されたコレステリック材料ＢＬ−１１８である。液晶材料は、５％の脱イオン化したゼラチン水溶液において、８％の濃度で分散される。水溶液中で、液晶の１０μｍ径のドメインを形成するために、混合物が分散される。その材料は、パターン化されたＩＴＯポリエステルシート上にコートされ、７μｍの厚さのポリマー分散コレステリックコーティングを提供する。ポリビニルアルコール（ＰＶＡ）、又はポリエチレン酸化物（ＰＥＯ）等の他の有機バインダが使用されてもよい。そのような化合物は、写真フィルムに関連した装置上にコート可能な機械である。
【００１４】
第２のパターン化導体４０の形をとった電極は、ポリマー分散コレステリック層３０にかぶさる。第２のパターン化導体４０は、ポリマー分散コレステリック層３０に渡って、電界を形成するために十分な導電性を有するべきである。第２のパターン化導体４０は、アルミニウム、銀、プラチナ、カーボン、タングステン、モリブデン、スズ、若しくはインジウム、又はそれらの組み合わせ等の材料を用いて、真空環境中で形成できる。第２のパターン化導体４０は、図示されるように、堆積層の形態である。金の酸化物は、第２のパターン化導体４０を暗くするために使用できる。金属材料は、抵抗加熱、陰極アーク、電子ビーム、スパッタ、又はマグネトロン励起からのエネルギーを適用することによって酸化が可能である。酸化スズ又はインジウムスズ酸化物コートは、第２のパターン化導体４０が透明になることを可能にする。電極２０、及び電極４０は、層の両側にあり、それぞれ、横列及び縦列にある。よって、横列及び縦列の交差点は、電圧が、電極に印加されるとき、層３０の全域における各々の交差点に電界を印加する画素を区画する。
【００１５】
第２のパターン化導体４０は、Ａｃｈｅｓｏｎ社の、スクリーン印刷が可能な電極材料であるＥｌｅｃｔｒｏｄａｇ４２３ＳＳ等のプリントされる導電性インクである。そのようなプリントされた材料は、熱可塑性樹脂中で細かく分離されたグラファイト粒子である。第２のパターン化導体４０は、プリントされるインクを用いて形成され、ディスプレイの費用を低減する。基板１５のフレキシブルサポート、第１のパターン化導体２０を形成するためのレーザエッチング、機械コートするポリマー分散コレステリック層３０、及びプリントする第２のパターン化導体４０の使用は、非常に低費用のメモリディスプレイの製造を可能にする。これらの方法を用いて形成される小さなディスプレイは、安価な、制限された書き換え用途の電子的書き換え可能タグとして使用できる。
【００１６】
図２Ａ及び図２Ｂは、コレステリック液晶の２つの安定状態を示す。図２Ａにおいて、高電圧界が印加され、ゼロポテンシャルに素早く切り替えられる。これは、コレステリック液晶をプラナー状態２２に変更する。プラナー状態２２でコレステリック液晶に当たる、適当な波長及び分極を有する入射光２６は、反射光２８として反射され、明画像を形成する。図２Ｂにおいて、より低い電圧界の印加は、コレステリック液晶を、透明のフォーカルコニック状態２４にする。フォーカルコニック状態２４においてコレステリック液晶に当たる入射光２６は、主に前方に散乱する。第２のパターン化導体４０は、伝達された光２７を吸収する黒であってよく、液晶材料がフォーカルコニック状態２４にあるとき、暗画像を形成する。結果として、見る者は、コレステリック材料がプラナー状態２２にあるか、フォーカルコニック状態２４にあるかによって、それぞれ、明画像、及び暗画像を知覚する。また、コレステリック液晶材料は、コレステリック材料の一部が、プラナー状態２２にあり、その残りがフォーカルコニック状態２４にあるとき、複数の反射状態を有する。その結果、見る者は、グレイレベルの画像を知覚する。図２Ｃにおいて、高電圧が印加されるとき、コレステリック液晶は、ホメオトロピック状態２５ある。ホメオトロピック状態２５において、コレステリック液晶を照らす入射光２６が伝達される。
【００１７】
図２Ｄは、種々の駆動電圧を印加した後の液晶材料の状態を示す。この図は、一般に、先に参照された米国特許第５６４４３３０号の図１に相当する。層３０における液晶材料は、図２Ａに示される反射プラナー状態２２と図２Ｂに示される非反射フォーカルコニック状態２４のいずれかである第１の状態で始まり、図２ＤにおけるＶ４を超えるＲＭＳ（２乗平均平方根）振幅を有するＡＣ電圧で駆動される。電圧が素早く除去されるとき、液晶材料は、反射状態に切り替わり、反射を維持する。もし、Ｖ２からＶ３の間のＡＣ電圧で駆動されるなら、その材料は、非反射状態に切り替わり、第２の駆動電圧が印加されるまでそのままである。もし電圧が全く印加されない、又は電圧がＶ１より十分低いなら、材料は、初期状態に関係なく状態を変えない。
【００１８】
先に参照された、Ｒｙｂａｌｏｃｈｋａ等によって提案された従来技術であるＵ／√２動的駆動スキームは、準備ステップと、選択ステップに先立つプレホールドステップと、ポストホールドステップと、選択ステップに続く展開ステップを含む。準備ステップと展開ステップは、全ての横列に共通であり、データパターンから独立している。しかし、プレホールドステップ及びポストホールドステップにおける電圧パルスは、データパターンによって変化する。横列電極及び縦列電極の特定の対によって形成された所定の画素に対して、画素の最終状態は、選択ステップにおける特徴的な電圧パルスに依存する。しかし、電圧パルス（又は波形）は、プレホールドステップ及びポストホールドステップにおいて、縦列電極に印加されるデータパターンに応じて、若干変化する。
【００１９】
先に参照された米国特許第５２５１０４８号及び米国特許第５６４４３３０号に開示される従来の駆動スキームにとって、選択時間は比較的長く、例えば、１０ｍｓから４０ｍｓである。また、選択前ステップ及び選択後ステップにおける変動は、最終的な状態の反射についてあまり影響がない。これに反して、全ての高速駆動スキームについて、ほとんどの場合において、選択時間は比較的短く、例えば、１ｍｓ未満である。これは、一般的に使用される電圧波形（１ｍｓ）の期間に匹敵する。その結果、選択ステップの前後すぐの変動は、最終状態の反射に大きな影響を与える。
【００２０】
データ依存欠陥をより理解するために、従来技術であるＵ／√２動的駆動スキームによる選択ステップの詳細な説明である図３及び図４が参照される。横列を選択するために、選択期間ｔＳ中、選択された横列電圧パルスＶＲｓ２００が印加される。他の選択されない横列については、選択期間ｔＳ中、選択されない横列電圧パルスＶＲｓ２０５が印加される。縦列電極は、オン状態データに対する縦列電圧パルスＶＣｏｎ２２０と、オフ状態データに対する電圧パルスＶＣｏｆｆ２４０のいずれかを受け取る。選択された横列について結果として得られる画素電圧（横列電圧と縦列電圧の差）は、オン状態に対するＶＰｓｏｎ２６０と、オフ状態に対するＶＰｓｏｆｆ２８０のいずれかである。選択されない横列において、画素電圧は、縦列電圧がＶＣｏｎの場合のＶＰｎｓｏｎ２６５、及び縦列電圧がＶＣｏｆｆの場合のＶＰｎｓｏｆｆ２８５のいずれかである。この特定の例において、全ての横列電圧パルス、及び縦列電圧パルス（ＶＲｓ，ＶＲｎｓ，ＶＣｏｎ，ＶＣｏｆｆ）は、最大電圧レベルＵ、又は最小電圧レベル０の２つのレベルしか取らない。しかし、画素電圧パルス（ＶＰｓｏｎ，ＶＰｓｏｆｆ，ＶＰｎｓｏｎ，ＶＰｓｏｆｆ）は、二極性の波形、又は０である。選択時間ｔＳは、選択された各々の横列に対する選択ステップにおける期間である。
【００２１】
図５Ａを参照すると、ＶＲ２３９０は、第２の横列に印加される横列電圧波形である。第２の横列は、Ｔ２の期間に選択され、書き込まれるので、Ｔ２の期間において、選択された横列電圧パルス２００を受け取り、第１の横列及び第３の横列が選択される場合は、Ｔ１及びＴ２の期間において、選択されない横列電圧パルスを受け取る。縦列電圧波形ＶＣｏｎ１３１０、ＶＣｏｎ２３３０、ＶＣｏｎ３３５０、及びＶＣｏｎ４３７０は、全て、Ｔ２の期間において、オン状態データに対する同じ縦列電圧パルス２２０を有するが、Ｔ１及びＴ２の期間において、縦列電圧パルス（又は、データ電圧パルス）の４つの異なる組み合わせを有する。電圧波形ＶＣｏｎ１３１０は、Ｔ１及びＴ３の期間において、両方ともオン状態のデータ電圧パルス２２０を有する一方、電圧波形ＶＣｏｎ４３７０は、両方ともオフ状態のデータ電圧パルス２４０を有する。縦列電圧波形ＶＣｏｎ２３３０において、オン状態データ電圧パルス２２０は、Ｔ１の期間に現れ、オフ状態データ電圧パルス２４０は、Ｔ４の期間に現れる。これに反し、縦列電圧波形ＶＣｏｎ３３５０は、Ｔ１の期間においてオフ状態データ電圧パルス２４０を有し、Ｔ４の期間においてオン状態データ電圧パルス２２０を有する。
【００２２】
図５Ｂは、横列電圧波形ＶＲ２３９０と、それぞれ、４つの縦列電圧波形ＶＣｏｎ１３１０、ＶＣｏｎ２３３０、ＶＣｏｎ３３５０、及びＶＣｏｎ４３７０から形成される、結果として得られる画素電圧波形ＶＰｏｎ１３２０、ＶＰｏｎ２３４０、ＶＰｏｎ３３６０、及びＶＰｏｎ４３８０を示す図である。比較のために、横列電圧波形ＶＲ２３９０が、図５Ａと図５Ｂの両方に図示される。４つの画素電圧波形ＶＰｏｎ１３２０、ＶＰｏｎ２３４０、ＶＰｏｎ３３６０、及びＶＰｏｎ４３８０の全ては、Ｔ２の選択期間において、計画通りに、同じ選択されたオン状態画素電圧パルス２６０を有する。この特定の例において、選択されたオン状態画素電圧パルス２６０は、ゼロボルトである。しかし、それらは、Ｔ２の選択期間の前後すぐの２６５又は２８５のいずれかで、異なる非選択電圧パルスを有する。選択期間Ｔ２が、Ｔ２の直前の選択期間Ｔ１、Ｔ２の直後の期間Ｔ３に結び付けられるとき、オン状態画素電圧パルス２６０は、ＶＰｏｎ１３２０についてはｔｏｎ１で、ＶＰｏｎ２３４０についてはｔｏｎ２で、ＶＰｏｎ３３６０についてはｔｏｎ３で、ＶＰｏｎ４３８０についてはｔｏｎ４で、有効なオン状態選択時間を変化させる。有効なオン状態選択時間は、ｔｏｎ１＝１．５ｔｏｎ４、ｔｏｎ２＝ｔｏｎ３＝１．２５ｔｏｎ４、及びｔｏｎ４＝Ｔ２という関係を満足する。従って、最大有効オン状態選択時間ｔｏｎ１は、最小有効オン状態選択時間ｔｏｎ４の５０％長く、他のオン様態選択時間ｔｏｎ２及びｔｏｎ３は、共に、ｔｏｎ４の２５％長い。これは、前後の選択されない画素の電圧の状態に応じて、画素のオン状態における望まれない差を引き起こす。
【００２３】
図５Ｃ及び図５Ｄは、４つの可能な縦列電圧波形ＶＣｏｎ１４１０、ＶＣｏｎ２４３０、ＶＣｏｎ３４５０、及びＶＣｏｎ４４７０において、オフ状態データ縦列電圧パルス２４０が第２の期間Ｔ２に印加されることを除いて、図５Ａ及び図５Ｂと同様である。横列電圧波形ＶＲ２３９０と４つの縦列電圧波形ＶＣｏｎ１４１０、ＶＣｏｎ２４３０、ＶＣｏｎ３４５０、及びＶＣｏｎ４４７０から形成される結果として得られる画素電圧波形は、それぞれ、ＶＰｏｆｆ１４２０、ＶＰｏｆｆ２４４０、ＶＰｏｆｆ３４６０、及びＶＰｏｆｆ４４８０である。それらは、すべて、選択期間Ｔ２において、同じオフ状態画素電圧パルス２８０を有するが、Ｔ２の直前及び直後の期間において、縦列電圧パルスがオフ状態パルス２４０なら２８５、縦列電圧パルスがオン状態パルス２２０なら２６５の異なる画素電圧パルスを有する。
【００２４】
選択期間Ｔ２が、期間Ｔ２の直前のＴ１、及び期間Ｔ２の直後のＴ３と結合されるとき、オフ状態画素電圧パルス２８０は、ＶＰｏｆｆ１４２０についてはｔｏｆｆ１で、ＶＰｏｆｆ２４４０についてはｔｏｆｆ２で、ＶＰｏｆｆ３４６０についてはｔｏｆｆ３で、ＶＰｏｆｆ４４８０についてはｔｏｆｆ４で、有効な期間を変化させる。有効なオフ状態選択時間は、ｔｏｆｆ４＝１．５ｔｏｆｆ１、ｔｏｆｆ２＝ｔｏｆｆ３＝１．２５ｔｏｆｆ１、及びｔｏｆｆ１＝Ｔ２を満足する。従って、最大有効オフ状態選択時間ｔｏｆｆ４は、最大有効オフ状態選択時間ｔｏｆｆ１より５０％長く、他のオフ状態選択時間ｔｏｆｆ２及びｔｏｆｆ３は、共に、ｔｏｆｆ１より２５％長い。これは、前後の選択されない画素の電圧の状態に依存して、画素のオフ状態における望まれない差につながる。
【００２５】
図５Ｂ及び図５Ｄは、有効なオン状態選択時間、及び有効なオフ状態選択時間が、隣接する画素の状態に依存し、特定の横列の直前、直後に現れるデータパターンに応じて変化することを明確に示す。有効選択時間のデータ依存は、光学状態の予期できない変動を引き起こす。
【００２６】
画素電圧は、Ｔ２の選択期間において平均０ボルトであるけれども、画素電圧波形の注意深い調査は、選択期間Ｔ２を含む期間であり、Ｔ２の前後５０％の期間であるＴｃに渡る局所的な平均電圧＜Ｖ＞が、データパターンによって変化することを明らかにする。図５Ｂに戻って参照すると、Ｔ１の後半、Ｔ２、及びＴ３の前半を含む期間Ｔｃの間に、二乗平均平方根（ＲＭＳ）の値は、Ｕ／２であるが、局所的な電圧の平均値＜Ｖ＞は、ＶＰｏｎ１３２０、ＶＰｏｎ２３４０、ＶＰｏｎ３３６０、及びＶＰｏｎ４３８０において、それぞれ、０、Ｕ／４、−Ｕ／４、及び０である。図５Ｄを参照すると、同じＴｃの期間中、画素電圧波形ＶＰｏｆｆ１４２０、ＶＰｏｆｆ２４４０、ＶＰｏｆｆ３４６０、及びＶＰｏｆｆ４４８０は、同じＲＭＳ値√（３Ｕ／４）を有し、それぞれ、０、Ｕ／４、−Ｕ／４、及び０の平均値＜Ｖ＞を有する。データパターンに依存した有効選択時間、及び局所的な平均電圧は両方とも、電圧波形の振幅、周波数、及び期間等の最適化された駆動パラメータを探し出すことを困難にする。
【００２７】
本発明によれば、有効選択時間のデータ依存性は、有効選択時間と局所的な平均電圧が、ディスプレイの全ての画素にとって同一であるように、各々の連続した選択画素電圧パルス間にフレーム電圧パルスを挿入することによって、最小化され、それにより、１つの画素の表示状態は、隣接する画素の表示状態から独立している。
【外１】
【００２８】
2004246354.tif 000003
【００２９】
以下に、図６Ａから図６Ｄを参照して、本発明の第１の実施の形態を説明する。図６Ａは、横列電圧波形５９０と、Ｔ２の期間において、オン状態データ電圧パルスを有する４つの可能な縦列電圧波形ＶＣｏｎ１５１０、ＶＣｏｎ２５３０、ＶＣｏｎ３５５０、及びＶＣｏｎ４５７０を示す。それらは、それぞれ、図５Ａに示される横列電圧波形ＶＲ２３９０と、４つの可能な縦列電圧波形ＶＣｏｎ１３１０、ＶＣｏｎ２３３０、ＶＣｏｎ３３５０、及びＶＣｏｎ４３７０に対応する。
【００３０】
縦列電圧波形ＶＣｏｎ１５１０、ＶＣｏｎ２５３０、ＶＣｏｎ３５５０、及びＶＣｏｎ４５７０の各々は、選択期間Ｔ２の前に挿入されるフレーム期間Ｔｆ１における共通のフレーム電圧パルス２２５を有し、選択期間Ｔ２の後に挿入されるフレーム期間Ｔｆ２における別の共通のフレーム電圧パルス２２６を有する。２つの挿入されたフレーム期間Ｔｆ１、Ｔｆ２において、横列電圧波形ＶＲ２５９０は、この特定の例において、選択されない横列電圧パルス２０５と同一である電圧パルス２０７，２０８を有する。
【００３１】
図６Ｂは、横列電圧波形ＶＲ２５９０と、それぞれ、４つの縦列電圧波形ＶＣｏｎ１５１０、ＶＣｏｎ２５３０、ＶＣｏｎ３５５０、及びＶＣｏｎ４５７０から形成された、結果として得られる画素電圧波形ＶＰｏｎ１５２０、ＶＰｏｎ２５４０、ＶＰｏｎ３５６０、及びＶＰｏｎ４５８０である。それらは、全て、挿入されたフレーム期間Ｔｆ１，Ｔｆ２において、同じ画素電圧パルス２９５，２９６を有する。選択期間Ｔ２が、Ｔ２の直前、及び直後の期間Ｔｆ１，Ｔｆ２と結合されるとき、オン状態画素電圧パルス２６０は、画素電圧波形ＶＰｏｎ１５２０、ＶＰｏｎ２５４０、ＶＰｏｎ３５６０、及びＶＰｏｎ４５８０において、不変の、同じ有効オン状態選択時間ｔｏｎ７を有する。
【００３２】
また、挿入された同じフレーム電圧パルスは、図６Ｃ及び図６Ｄに図示されるように、有効なオフ状態選択時間に対するデータ依存を最小化する。結果として得られる画素電圧波形ＶＰｏｆｆ１６２０、ＶＰｏｆｆ２６４０、ＶＰｏｆｆ３６６０、及びＶＰｏｆｆ４６８０は、横列電圧波形ＶＲ２５９０と、それぞれ、４つの可能な縦列電圧波形ＶＣｏｆｆ１６１０、ＶＣｏｆｆ２６３０、ＶＣｏｆｆ３６５０、及びＶＣｏｆｆ４６７０から形成される。図６Ｃに示されるように、期間Ｔ２において、全ての縦列電圧波形ＶＣｏｆｆ１６１０、ＶＣｏｆｆ２６３０、ＶＣｏｆｆ３６５０、及びＶＣｏｆｆ４６７０は、オフ状態縦列電圧パルス２４０を有し、図６Ｄに示されるように、全ての画素電圧波形ＶＰｏｆｆ１６２０、ＶＰｏｆｆ２６４０、ＶＰｏｆｆ３６６０、及びＶＰｏｆｆ４６８０は、オフ状態画素電圧パルス２８０を有する。挿入されたフレーム期間Ｔｆ１，Ｔｆ２における固定された画素電圧パルス２９５、２９６により、有効なオフ状態選択時間は、隣接する画素の表示状態とは無関係のｔｏｆｆ７になる。
【００３３】
図６Ｂを参照すると、Ｔｆ１の後半、Ｔ２、及びＴｆ１の前半を含むＴｃの期間中に、画素電圧波形ＶＰｏｎ１５２０、ＶＰｏｎ２５４０、ＶＰｏｎ３５６０、及びＶＰｏｎ４５８０は、同じＵ／２のＲＭＳ値と、同じ０の局所的平均電圧値＜Ｖ＞を有する。
【００３４】
図６Ｄを参照すると、Ｔｆ１の後半、Ｔ２、及びＴｆ２の前半を含むＴｃの期間中に、画素電圧波形ＶＰｏｆｆ１６２０、ＶＰｏｆｆ２６４０、ＶＰｏｆｆ３６６０、及びＶＰｏｆｆ４６８０は、同じ√３Ｕ／４のＲＭＳ値と、同じ０の局所的平均電圧値＜Ｖ＞を有する。
【００３５】
図６Ａから図６Ｄに関して説明された第１の実施の形態は、可変の有効選択時間の問題、及び可変の局所的平均選択電圧の問題の両方を解決するけれども、有効なＯＮ状態選択時間ｔｏｎ７と、有効なオフ状態選択時間ｔｏｆｆ７が異なる。これは、異なるオン状態選択時間とオフ状態選択時間を有することが望まれる場合には、問題ではなく効果である。
【００３６】
図７Ａから図７Ｄに示される本発明の別の実施の形態によれば、有効なオン状態選択時間と、有効なオフ状態選択時間は、同一にされる。図７Ａは、横列電圧波形ＶＲ２５９０と、その各々がＴ２の期間においてオン状態縦列電圧パルス２２０を有するが、Ｔ１、及びＴ２の期間において、異なる電圧パルスを有する４つの可能な縦列電圧波形ＶＣｏｎ１２５１２、ＶＣｏｎ２２５３２、ＶＣｏｎ３２５５２、及びＶＣｏｎ４２５７２を示す。図７Ｂに示されるように、対応する画素電圧波形は、それぞれ、ＶＰｏｎ１２５２２、ＶＰｏｎ２２５４２、ＶＰｏｎ３２５６２、及びＶＰｏｎ４２５８２である。
【００３７】
図７Ｃは、横列電圧波形ＶＲ２５９０と、その各々がＴ２の期間においてオフ状態縦列電圧パルス２４０を有するが、Ｔ１、及びＴ２の期間において、異なる電圧パルスを有する４つの可能な縦列電圧波形ＶＣｏｆｆ１２６１２、ＶＣｏｆｆ２２６３２、ＶＣｏｆｆ３２６５２、及びＶＣｏｆｆ４２６７２を示す。図７Ｄは、それぞれ、横列電圧波形ＶＲ２５９０と４つの縦列電圧波形ＶＣｏｆｆ１２６１２、ＶＣｏｆｆ２２６３２、ＶＣｏｆｆ３２６５２、及びＶＣｏｆｆ４３６７２から形成される、結果として得られる画素電圧波形ＶＰｏｆｆ１２６２２、ＶＰｏｆｆ２２６４２、ＶＰｏｆｆ３２６６２、及びＶＰｏｆｆ４２６８２を示す図である。
【００３８】
この代替の実施の形態によれば、第２の挿入フレームＴｆ２において、図７Ａ及び図７Ｃにおける縦列電圧パルス２２６は、図６Ａ及び図６Ｃの場合のように、ＶＣｏｎ２２０の代わりにＶＣｏｆｆ２４０の形態を取る。その結果、図７Ｂ及び図７Ｄにおいて結果として得られる画素電圧パルス２９６は、図６Ｂ及び図６ＤにおけるＶＰｎｓｏｎ２６５の代わりに、ＶＰｎｓｏｆｆ２８５の形態を取る。図７Ａから図７Ｄに示されるＴｆ１及びＴｆ２の期間に挿入されたフレーム電圧パルスは、異なる形態を取る。図７Ｂに示される画素電圧パルス２６０に関連した有効なオン状態選択時間ｔｏｎ９は、図７Ｄに示される画素電圧パルス２８０に関連した有効なオフ状態選択時間ｔｏｆｆ９と同一の期間を有する。有効選択時間ｔｏｎ９とｔｏｆｆ９は、両方とも１．２５Ｔ２に等しい。この代替の実施の形態は、可変有効選択時間と、局所的な平均選択電圧の両方の問題を解決するだけでなく、等しいｔｏｎ９とｔｏｆｆ９の時間を有する。しかし、局所的な平均選択電圧の値は、ゼロではない。
【００３９】
図７Ｂを参照すると、Ｔｃの期間中、画素電圧波形ＶＰｏｎ１２５２２、ＶＰｏｎ２２５４２、ＶＰｏｎ３２５６２、及びＶＰｏｎ４２５８２は、同じＵ／２のＲＭＳ値を有し、Ｕ／４の同じ平気電圧値＜Ｖ＞を有する。図７Ｄを参照すると、Ｔｃの期間中、画素電圧波形ＶＰｏｆｆ１２６２２、ＶＰｏｆｆ２２６４２、ＶＰｏｆｆ３２６６２、及びＶＰｏｆｆ４２６８２は、√３Ｕ／４の同じＲＭＳ値を有し、Ｕ／４の同じゼロでない局所平均電圧値＜Ｖ＞を有する。
【００４０】
等しいオン状態の選択時間とオフ状態の選択時間を有し、０の値の局所的平均選択電圧も提供する本発明のさらなる実施の形態が、図８Ａから図８Ｄに示される。図８Ａは、横列電圧波形ＶＲ２３５９３、及び４つの可能な縦列電圧波形ＶＣｏｎ１３５１３と、その各々が、Ｔ２の期間にはオン状態縦列電圧パルス２２０を有するが、Ｔ１及びＴ２の期間には異なる電圧パルスを有するＶＣｏｎ２３５３３、ＶＣｏｎ３３５５３、及びＶＣｏｎ４３５７３を示す。対応する画素電圧波形は、それぞれ、図８Ｂに示されるように、ＶＰｏｎ１３５２３、ＶＰｏｎ２３５４３、ＶＰｏｎ３３５６３、及びＶＰｏｎ４３５８３である。
【００４１】
図８Ｃは、横列電圧波形ＶＲ２３５９３と、その各々がＴ２の期間においてオフ状態縦列電圧パルス２４０を有するが、Ｔ１、及びＴ２の期間において、異なる電圧パルスを有する４つの可能な縦列電圧波形ＶＣｏｆｆ１３６１３、ＶＣｏｆｆ２３６３３、ＶＣｏｆｆ３３６５３、及びＶＣｏｆｆ４３６７３を示す。図８Ｄは、それぞれ、横列電圧波形ＶＲ２３５９３と４つの縦列電圧波形ＶＣｏｆｆ１３６１３、ＶＣｏｆｆ２３６３３、ＶＣｏｆｆ３３６５３、及びＶＣｏｆｆ４３６７３から形成される、結果として得られる画素電圧波形ＶＰｏｆｆ１３６２３、ＶＰｏｆｆ２３６４３、ＶＰｏｆｆ３３６６３、及びＶＰｏｆｆ４３６８３を示す図である。
【００４２】
この実施の形態によれば、図８Ａ及び図８Ｃの第１の挿入フレームＴｆ１及び第２の挿入フレームＴｆ２の両方における縦列電圧パルス２２５，２２６は、図６Ａ及び図６Ｃの場合のように、ＶＣｏｎ２２０の代わりにＶＣｏｆｆ２４０の形態を取る。その結果、図７Ｂ及び図７Ｄにおいて結果として得られる画素電圧パルス２９６は、図６Ｂ及び図６ＤにおけるＶＰｎｓｏｎ２６５の代わりに、ＶＰｎｓｏｆｆ２８５の形態を取る。加えて、図８Ｂ及び図８Ｄにおいて結果として得られる画素電圧パルス２９５は、図６Ｂ，図６Ｄ，図７Ｂ及び図７Ｄに示される画素電圧パルス２９５と比較して逆極性を有する。
【００４３】
代わりに、図８Ｂに示される画素電圧パルス２６０に関連した有効なオン状態選択時間ｔｏｎ９は，図８Ｄに示される画素電圧パルス２８０に関連したオフ状態選択時間ｔｏｆｆ９と同じ期間を有する。両方の有効選択時間ｔｏｎ９及びｔｏｆｆ９は、１．２５Ｔ２に等しい。
【００４４】
図８Ｂを参照すると、Ｔｃの期間中に、画素電圧波形ＶＰｏｎ１３５２３、ＶＰｏｎ２３５４３、ＶＰｏｎ３３５６３、及びＶＰｏｎ４３５８３は、同じＵ／２のＲＭＳ値を有し、０の同じ局所的平均電圧値＜Ｖ＞を有する。
【００４５】
図８Ｄを参照すると、Ｔｃの期間中に、画素電圧波形ＶＰｏｆｆ１３６２３、ＶＰｏｆｆ２３６４３、ＶＰｏｆｆ３３６６３、及びＶＰｏｆｆ４３６８３は、同じ√（３Ｕ／４）のＲＭＳ値を有し、０の同じ局所的平均電圧値＜Ｖ＞を有する。
【００４６】
従って、上述の実施の形態から、本発明によるフレーム波形を挿入することによって、局所的な平均電圧にわたる制御（又は、ＤＣネット電圧）が達成できることがわかる。局所的な平均電圧は、任意のデータパターンとは独立して変動し、ゼロ又は非ゼロのいずれかであってよい。これは、高い表示性能を達成する所望の特性である。
【００４７】
本発明による挿入フレーム電圧パルスは、本発明の範囲内の種々の方法で実行できる。例えば、図１１は、本発明による波形生成のために使用できるディスプレイシステムを示す。そのディスプレイシステムは、制御電子機器１２０、及び、最大電圧Ｕの電圧を生成する電圧源１００を含む。出力電圧Ｕは、パルス又は電圧信号を生成するデューティサイクルコントローラ１２２に結合される。位相コントローラ１２４は、縦列パルス列に関して、横列の出力パルスの列の相対位相を設定し、周波数コントローラ１２６は、出力パルスの期間を設定する。その期間は、両方のパルス組に対して同じ又は異なってよい。その出力パルスは、縦列パルス１３２と横列パルス１３６を含む。
【００４８】
ディスプレイ１５０は、縦列駆動部１５４及び横列駆動部１５２におけるそれぞれのパルスを受け取る。駆動部は、ディスプレイの縦列電極１６２、及び横列電極１６４にパルスを印加する。個々のコントローラ１２２，１２４，１２６は、横列に対する組と、縦列に対する組の２組のコントローラに分離できる。
【００４９】
本発明によって対処される問題を有する動的駆動スキームによって駆動されるコレステリック液晶を用いて、実験測定が行われた。図９Ａを参照すると、コレステリック液晶ディスプレイのオフ状態（すなわち暗状態）の画素に対する波長の関数として、反射率の４つの曲線が示される。それは、隣接する画素における４つの可能なデータパターンの組み合わせ、すなわち、測定されたオフ状態画素の１つ前後の横列における、オン状態／オン状態（曲線ａ）、オン状態／オフ状態（曲線ｂ）、オフ状態／オン状態（曲線ｃ）、オフ状態／オフ状態（曲線ｄ）に相当する。５３０ｎｍのピーク波長において、反射率は、約４．５％から５．５％まで変化する（１％の幅）。
【００５０】
図９Ｂは、コレステリック液晶ディスプレイのオン状態（明状態）画素に対する波長の関数として、４つの反射率曲線を示す。それは、図９Ａに示されるように、同じ４つの可能なデータパターンに対応する。５３０ｎｍのピーク波長において、反射率は、約１８％から２４％に変化する（６％の範囲）。反射率の値の変化は、小さく見えるけれども、特に暗状態において、小さな変動でさえ、顕著な欠陥という結果を招く。
【００５１】
図１０Ａ及び図１０Ｂは、本発明の改善された駆動スキームで得られる、図９Ａ及び図９Ｂで示されたデータに類似したデータを示す。図１０Ａ及び図１０Ｂの両方は、波長に対する反射率の変動が、従来の駆動スキームで得られる図９Ａ及び図９Ｂで示される変動と比較して実質的に低減されることを示す。例えば、図１０Ａに示されるように、５３０ｎｍのピーク波長におけるオフ状態の反射率は、約４．４％から４．６％まで（ほんの０．２％の範囲で）変動し、５３０ｎｍの波長におけるオン状態の反射率は、約１９％から２２％まで（３％の範囲で）変化する。従って、改善された駆動スキームは、暗（すなわち、オフ状態）及び明（すなわち、オン状態）状態の両方に対するデータパターンに依存した欠陥を低減する。改善された駆動スキームは、任意のグレイレベル状態のデータパターン依存性を低減できることにも留意すべきである。
【図面の簡単な説明】
【００５２】
【図１】従来のコレステリック液晶ディスプレイの部分的斜視図である。
【図２Ａ】光を反射するプラナー状態における従来のコレステリック液晶材料の図である。
【図２Ｂ】光を前方に散乱するフォーカルコニック状態における従来のコレステリック液晶材料の図である。
【図２Ｃ】光を透過するホメオトロピック状態における従来のコレステリック液晶材料の図である。
【図２Ｄ】従来のコレステリック液晶材料のパルス電圧に対する反射率の典型的な応答のプロットである。
【図３】従来のＵ／√２動的駆動スキームにおける選択された横列における、縦列電圧、横列電圧、画素電圧パルスを示す図である。
【図４】従来のＵ／√２動的駆動スキームにおける選択されない横列における、縦列電圧、横列電圧、画素電圧パルスを示す図である。
【図５Ａ】図３及び図４（従来技術）に示された波形を使用することによって、第２の横列におけるオン状態データを有する縦列電圧波形及び横列電圧波形、及び、第１及び第３の横列におけるデータの種々の組み合わせを示す図である。
【図５Ｂ】図５Ａ（従来技術）に示された波形を使用することによって、データの有効オン状態選択時間依存性を示す図である。
【図５Ｃ】図４Ａ及び図４Ｂ（従来技術）に示された波形を使用することによって、第２の横列におけるオフ状態データを有する縦列電圧波形及び横列電圧波形、及び、第１の横列及び第３の横列におけるデータの種々の組み合わせを示す図である。
【図５Ｄ】図５Ｃ（従来技術）に示された波形を使用することによって、データの有効オフ状態選択時間の依存性を示す図である。
【図６Ａ】本発明の１つの実施の形態による、データの有効オン状態選択依存性を最小化する横列電圧波形及び縦列電圧波形を示す図である。
【図６Ｂ】図６Ａに示された横列電圧波形、及び縦列電圧波形を使用することによって、データの有効オン状態選択時間依存性を最小化する画素電圧波形を示す図である。
【図６Ｃ】本発明の１つの実施の形態によるデータの有効なオフ状態選択時間依存性を最小化する横列電圧及び縦列電圧を示す図である。
【図６Ｄ】図６Ｃに示された横列電圧波形、及び縦列電圧波形を使用することによって、データの有効なオフ状態選択時間依存性を最小化する画素電圧波形を示す図である。
【図７Ａ】本発明の別の実施の形態によるデータのオン状態選択時間依存性を最小化する横列電圧波形及び縦列電圧波形を示す図である。
【図７Ｂ】図７Ａに示される横列電圧波形、及び縦列電圧波形を使用することによって、データの有効オン状態選択時間依存性を最小化する画素電圧波形を示す図である。
【図７Ｃ】本発明の別の実施の形態による、データの有効なオフ状態選択時間を最小化する横列電圧波形、及び縦列電圧波形を示す図である。
【図７Ｄ】図７Ｃに示される横列電圧波形、及び縦列電圧波形を使用することによって、データの有効なオフ状態選択時間依存性を最小化する画素電圧波形を示す図である。
【図８Ａ】本発明の更なる別の実施の形態によるデータの有効なオン状態選択時間依存性を最小化する横列電圧波形、及び縦列電圧波形を示す図である。
【図８Ｂ】図８Ａに示される横列電圧波形、及び縦列電圧波形を使用することによって、データの有効なオン状態選択時間依存性を最小化する画素電圧波形を示す図である。
【図８Ｃ】本発明の更なる別の実施の形態によるデータの有効なオフ状態選択時間の依存性を最小化する横列電圧波形、及び縦列電圧波形を示す図である。
【図８Ｄ】図８Ｃに示される横列電圧波形、及び縦列電圧波形を使用することによって、データの有効なオフ状態選択時間依存性を最小化する画素電圧波形を示す図である。
【図９Ａ】図４Ａに示された波形を用いる従来の駆動スキームにおいて、それぞれ、データのオン状態依存性を示す実験データを示す図である。
【図９Ｂ】図４Ａに示された波形を用いる従来の駆動スキームにおいて、データのオフ状態依存性を示す実験データを示す図である。
【図１０Ａ】図８Ａに示された波形を用いる本発明による駆動スキームにおいて、低減されたデータのオン状態依存性を示す実験データを示す図である。
【図１０Ｂ】図８Ａに示された波形を用いる本発明による駆動スキームにおいて、低減されたデータのオフ状態依存性を示す実験データを示す図である。
【図１１】本発明を実行するＬＣＤディスプレイシステム、及び制御電子機器のブロック図である。
【符号の説明】
【００５３】
１０  ディスプレイ
１５  基板
２０  第１のパターン化導体
２２  プラナー状態
２４  フォーカルコニック状態
２５  ホメオトロピック状態
２６  入射光
２７  透過光
２８  反射光
３０  ポリマー分散コレステリック層
４０  第２のパターン化導体
１００  電圧源
１２０  制御電子機器
１２２  デューティサイクルコントローラ
１２４  位相コントローラ
１２６  周波数コントローラ
１３２  縦列パルス
１３６  横列パルス
１５０  ディスプレイ
１５２  横列ドライバ
１５４  縦列ドライバ
１６２  縦列電極
１６４  横列電極
２００  選択された横列における電圧パルス
２０５  選択されない横列における電圧パルス
２０７  フレーム期間Ｔｆ１における横列電圧パルス
２０８  フレーム期間Ｔｆ２における横列電圧パルス
２２０  オン状態に対する縦列電圧パルス
２２５  フレーム期間Ｔｆ１における縦列電圧パルス
２２６  フレーム期間Ｔｆ２における縦列電圧パルス
２４０  オフ状態に対する縦列電圧パルス
２６０  オン状態に対する選択された横列における画素電圧パルス
２６５  オン状態に対する選択されない横列における画素電圧パルス
２８０  オフ状態に対する選択された横列における画素電圧パルス
２８５  オフ状態に対する選択されない横列における画素電圧パルス
２９５  フレーム期間Ｔｆ１における画素電圧パルス
２９６  フレーム期間Ｔｆ２における画素電圧パルス
３１０  第２の横列に対するオン状態データを有する縦列波形ＶＣｏｎ１
３２０  第２の横列に対するオン状態データを有する画素波形ＶＰｏｎ１
３３０  第２の横列に対するオン状態データを有する縦列波形ＶＣｏｎ２
３４０  第２の横列に対するオン状態データを有する画素波形ＶＰｏｎ２
３５０  第２の横列に対するオン状態データを有する縦列波形ＶＣｏｎ３
３６０  第２の横列に対するオン状態データを有する画素波形ＶＰｏｎ３
３７０  第２の横列に対するオン状態データを有する縦列波形ＶＣｏｎ４
３８０  第２の横列に対するオン状態データを有する画素波形ＶＰｏｎ４
３９０  第２の横列における横列波形ＶＲ２
４１０  第２の横列に対するオフ状態データを有する縦列波形ＶＣｏｆｆ１
４２０  第２の横列に対するオフ状態データを有する画素波形ＶＰｏｆｆ１
４３０  第２の横列に対するオフ状態データを有する縦列波形ＶＣｏｆｆ２
４４０  第２の横列に対するオフ状態データを有する画素波形ＶＰｏｆｆ２
４５０  第２の横列に対するオフ状態データを有する縦列波形ＶＣｏｆｆ３
４６０  第２の横列に対するオフ状態データを有する画素波形ＶＰｏｆｆ３
４７０  第２の横列に対するオフ状態データを有する縦列波形ＶＣｏｆｆ４
４８０  第２の横列に対するオフ状態データを有する画素波形ＶＰｏｆｆ４
５１０  第２の横列に対するオン状態データを有する縦列波形ＶＣｏｎ１
５１２  第２の横列に対するオン状態データを有する縦列波形ＶＣｏｎ１２
５１３  第２の横列に対するオン状態データを有する縦列波形ＶＣｏｎ１３
５２０  第２の横列に対するオン状態データを有する画素波形ＶＰｏｎ１
５２２  第２の横列に対するオン状態データを有する画素波形ＶＰｏｎ１２
５２３  第２の横列に対するオン状態データを有する画素波形ＶＰｏｎ１３
５３０  第２の横列に対するオン状態データを有する縦列波形ＶＣｏｎ２
５３２  第２の横列に対するオン状態データを有する縦列波形ＶＣｏｎ２２
５３３  第２の横列に対するオン状態データを有する縦列波形ＶＣｏｎ２３
５４０  第２の横列に対するオン状態データを有する画素波形ＶＰｏｎ２
５４２  第２の横列に対するオン状態データを有する画素波形ＶＰｏｎ２２
５４３  第２の横列に対するオン状態データを有する画素波形ＶＰｏｎ２３
５５０  第２の横列に対するオン状態データを有する縦列波形ＶＣｏｎ３
５３２  第２の横列に対するオン状態データを有する縦列波形ＶＣｏｎ３２
５３３  第２の横列に対するオン状態データを有する縦列波形ＶＣｏｎ３３
５６０  第２の横列に対するオン状態データを有する画素波形ＶＰｏｎ３
５６２  第２の横列に対するオン状態データを有する画素波形ＶＰｏｎ３２
５６３  第２の横列に対するオン状態データを有する画素波形ＶＰｏｎ３３
５７０  第２の横列に対するオン状態データを有する縦列波形ＶＣｏｎ４
５７２  第２の横列に対するオン状態データを有する縦列波形ＶＣｏｎ４２
５７３  第２の横列に対するオン状態データを有する縦列波形ＶＣｏｎ４３
５８０  第２の横列に対するオン状態データを有する画素波形ＶＰｏｎ４
５８２  第２の横列に対するオン状態データを有する画素波形ＶＰｏｎ４２
５８３  第２の横列に対するオン状態データを有する画素波形ＶＰｏｎ４３
５９０  第２の横列における横列波形ＶＲ２
５９３  第２の横列における横列波形ＶＲ２３
６１０  第２の横列に対するオフ状態データを有する縦列波形ＶＣｏｆｆ１
６１２  第２の横列に対するオフ状態データを有する縦列波形ＶＣｏｆｆ１２
６１３  第２の横列に対するオフ状態データを有する縦列波形ＶＣｏｆｆ１３
６２０  第２の横列に対するオフ状態データを有する画素波形ＶＰｏｆｆ１
６２２  第２の横列に対するオフ状態データを有する画素波形ＶＰｏｆｆ１２
６２３  第２の横列に対するオフ状態データを有する画素波形ＶＰｏｆｆ１３
６３０  第２の横列に対するオフ状態データを有する縦列波形ＶＣｏｆｆ２
６３２  第２の横列に対するオフ状態データを有する縦列波形ＶＣｏｆｆ２２
６３３  第２の横列に対するオフ状態データを有する縦列波形ＶＣｏｆｆ２３
６４０  第２の横列に対するオフ状態データを有する画素波形ＶＰｏｆｆ２
６４２  第２の横列に対するオフ状態データを有する画素波形ＶＰｏｆｆ２２
６４３  第２の横列に対するオフ状態データを有する画素波形ＶＰｏｆｆ２３
６５０  第２の横列に対するオフ状態データを有する縦列波形ＶＣｏｆｆ３
６５２  第２の横列に対するオフ状態データを有する縦列波形ＶＣｏｆｆ３２
６５３  第２の横列に対するオフ状態データを有する縦列波形ＶＣｏｆｆ３３
６６０  第２の横列に対するオフ状態データを有する画素波形ＶＰｏｆｆ３
６６２  第２の横列に対するオフ状態データを有する画素波形ＶＰｏｆｆ３２
６６３  第２の横列に対するオフ状態データを有する画素波形ＶＰｏｆｆ３３
６７０  第２の横列に対するオフ状態データを有する縦列波形ＶＣｏｆｆ４
６７２  第２の横列に対するオフ状態データを有する縦列波形ＶＣｏｆｆ４２
６７３  第２の横列に対するオフ状態データを有する縦列波形ＶＣｏｆｆ４３
６８０  第２の横列に対するオフ状態データを有する画素波形ＶＰｏｆｆ４
６８２  第２の横列に対するオフ状態データを有する画素波形ＶＰｏｆｆ４２
６８３  第２の横列に対するオフ状態データを有する画素波形ＶＰｏｆｆ４３
ｔ  時間
ｔｏｎ１  画素波形ＶＰｏｎ１に対応する有効選択時間
ｔｏｎ２  画素波形ＶＰｏｎ２に対応する有効選択時間
ｔｏｎ３  画素波形ＶＰｏｎ３に対応する有効選択時間
ｔｏｎ４  画素波形ＶＰｏｎ４に対応する有効選択時間
ｔｏｆｆ１  画素波形ＶＰｏｆｆ１に対応する有効選択時間
ｔｏｆｆ２  画素波形ＶＰｏｆｆ２に対応する有効選択時間
ｔｏｆｆ３  画素波形ＶＰｏｆｆ３に対応する有効選択時間
ｔｏｆｆ４  画素波形ＶＰｏｆｆ４に対応する有効選択時間
ｔｏｎ７  画素波形ＶＰｏｎ１，ＶＰｏｎ１，ＶＰｏｎ１，ＶＰｏｎ１に対応する有効選択時間
ｔｏｎ８  画素波形ＶＰｏｎ１２，ＶＰｏｎ２２，ＶＰｏｎ３２，ＶＰｏｎ４２，ＶＰｏｎ１３，ＶＰｏｎ２３，ＶＰｏｎ３３，ＶＰｏｎ４３に対応する有効選択時間
ｔｏｎ９  画素波形ＶＰｏｆｆ１２，ＶＰｏｆｆ２２，ＶＰｏｆｆ３２，ＶＰｏｆｆ４２，ＶＰｏｆｆ１３，ＶＰｏｆｆ２３，ＶＰｏｆｆ３３，ＶＰｏｆｆ４３に対応する有効選択時間
Ｔ１，Ｔ２，Ｔ３  書込み期間
Ｔｆ１，Ｔｆ２  フレーム期間
Ｔｃ  Ｔ２の期間、及びＴ２の前後の５０％の期間を含む期間
Ｕ  最大電圧
ＶＲＳ  選択された横列における横列電圧パルス
ＶＲｎＳ  選択されない横列における横列電圧パルス
ＶＣｏｎ  オン状態に対する縦列電圧パルス
ＶＣｏｆｆ  オフ状態に対する縦列電圧パルス
ＶＰｓｏｎ  縦列電圧がＶＣｏｎの時の選択された横列の画素電圧
ＶＰｓｏｆｆ  縦列電圧がＶＣｏｆｆの時の選択された横列の画素電圧
ＶＰｎｓｏｎ  縦列電圧がＶＣｏｎの時の選択されない横列の画素電圧
ＶＰｎｓｏｆｆ  縦列電圧がＶＣｏｆｆの時の選択されない横列の画素電圧
Ｖ１  それ未満ではコレステリック液晶の状態が変化しない電圧
Ｖ２，Ｖ３  コレステリック液晶がフォーカルコニック状態に切り替わる電圧
Ｖ４  それを超えると、コレステリック液晶が、電圧がすばやくオフされた後で、プラナー状態に切り替わる電圧
【図１】
2004246354.tif 000004
【図２Ａ】
2004246354.tif 000005
【図２Ｂ】
2004246354.tif 000006
【図２Ｃ】
2004246354.tif 000007
【図２Ｄ】
2004246354.tif 000008
【図３】
2004246354.tif 000009
【図４】
2004246354.tif 000010
【図５Ａ】
2004246354.tif 000011
【図５Ｂ】
2004246354.tif 000012
【図５Ｃ】
2004246354.tif 000013
【図５Ｄ】
2004246354.tif 000014
【図６Ａ】
2004246354.tif 000015
【図６Ｂ】
2004246354.tif 000016
【図６Ｃ】
2004246354.tif 000017
【図６Ｄ】
2004246354.tif 000018
【図７Ａ】
2004246354.tif 000019
【図７Ｂ】
2004246354.tif 000020
【図７Ｃ】
2004246354.tif 000021
【図７Ｄ】
2004246354.tif 000022
【図８Ａ】
2004246354.tif 000023
【図８Ｂ】
2004246354.tif 000024
【図８Ｃ】
2004246354.tif 000025
【図８Ｄ】
2004246354.tif 000026
【図９Ａ】
2004246354.tif 000027
【図９Ｂ】
2004246354.tif 000028
【図１０Ａ】
2004246354.tif 000029
【図１０Ｂ】
2004246354.tif 000030
【図１１】
2004246354.tif 000031
【外国語明細書】
2004246354.tif 000032
2004246354.tif 000033
2004246354.tif 000034
2004246354.tif 000035
2004246354.tif 000036
2004246354.tif 000037
2004246354.tif 000038
2004246354.tif 000039
2004246354.tif 000040
2004246354.tif 000041
2004246354.tif 000042
2004246354.tif 000043
2004246354.tif 000044
2004246354.tif 000045
2004246354.tif 000046
2004246354.tif 000047
2004246354.tif 000048
2004246354.tif 000049
2004246354.tif 000050
2004246354.tif 000051
2004246354.tif 000052
2004246354.tif 000053
2004246354.tif 000054
2004246354.tif 000055
2004246354.tif 000056
2004246354.tif 000057
2004246354.tif 000058
2004246354.tif 000059
2004246354.tif 000060
2004246354.tif 000061
2004246354.tif 000062
2004246354.tif 000063
2004246354.tif 000064
2004246354.tif 000065
2004246354.tif 000066
2004246354.tif 000067
2004246354.tif 000068
2004246354.tif 000069
2004246354.tif 000070
2004246354.tif 000071
2004246354.tif 000072
2004246354.tif 000073
2004246354.tif 000074
2004246354.tif 000075
2004246354.tif 000076
2004246354.tif 000077
2004246354.tif 000078
2004246354.tif 000079